(57)【要約】【課題】墓参の際に墓参用桶と当該桶に入れるための水とを容易に運搬することができる墓参用桶専用台車を提供すること。【解決手段】本考案は、上端側に把持部が設けられると共に、下端側に一対の後方車輪が設けられたメインフレームと、基端側が前記メインフレームに固定されると共に、先端側に前方車輪が設けられた一対の前方突出フレームと、前記メインフレーム及び前記一対の前方突出フレームによって上面が水平となるように保持された支持部と、前記支持部の上面の後方側部分に配置された貯水タンクと、を備え、前記支持部の上面の前方側部分には、墓参用桶の配置スペースが設けられている墓参用桶専用台車である。【選択図】図１
0003178876.tif 000002
【実用新案登録請求の範囲】
【請求項１】
上端側に把持部が設けられると共に、下端側に一対の後方車輪が設けられたメインフレームと、
基端側が前記メインフレームに固定されると共に、先端側に前方車輪が設けられた一対の前方突出フレームと、
前記メインフレーム及び前記一対の前方突出フレームによって上面が水平となるように保持された支持部と、
前記支持部の上面の後方側部分に配置された貯水タンクと、
を備え、
前記支持部の上面の前方側部分には、墓参用桶の配置スペースが設けられている
ことを特徴とする墓参用桶専用台車。
【請求項２】
前記前方車輪及び前記後方車輪は、直径が１５０ｍｍ以上である
ことを特徴とする請求項１に記載の墓参用桶専用台車。
【請求項３】
前記後方車輪の車軸の向きは、前記メインフレームに対して固定されており、
前記前方車輪の車軸の向きは、前記前方突出フレームに対して回転可能となっている
ことを特徴とする請求項１または２に記載の墓参用桶専用台車。
【請求項４】
前記貯水タンクの後方側面と対向するように前記メインフレームに固定された貯水タンク押さえフレームと、
前記貯水タンクの前方側面に掛け渡され、前記貯水タンクを前記貯水タンク押さえフレームに押しつけて固定する貯水タンク用ベルトと、
前記墓参用桶の配置スペースを取り囲むように掛け渡され、墓参用桶を前記貯水タンクの前方側面に押しつけて固定可能になっている墓参用桶用ベルトと、
を更に備える
ことを特徴とする請求項１乃至３のいずれかに記載の墓参用桶専用台車。
【請求項５】
前記貯水タンクの後方側面には、排水口が設けられている
ことを特徴とする請求項１乃至４のいずれかに記載の墓参用桶専用台車。
【考案の詳細な説明】
【技術分野】
【０００１】
本考案は、墓参の際に墓参用桶を運搬するための墓参用桶専用台車に関する。
【背景技術】
【０００２】
現在、我が国では高齢化の進展に伴って、墓数が増加し、墓参の機会も増加している。墓参時には、墓を清掃したり、墓に花を供えるために、参拝者は、水が入った墓参用桶を手で持って当該墓まで運搬している。特に墓の清掃では水が多く消費されるため、参拝者は墓と給水場所との間を複数回往復することもある。
【０００３】
しかしながら、水が入った墓参用桶は重いため、参拝者にとって墓参用桶の運搬は重労働である。特に、高齢化の進展により、今後高齢者による墓参の機会が急増すると予想されるが、力の弱い高齢者には墓参用桶の運搬は非常に負荷が高く困難な作業である。
【０００４】
また、墓地の参道は砂利道や石畳など凸凹を含んでいることが多いが、体重の軽い高齢者が重い墓参用桶を手で持ったまま参道を歩くと、重心のバランスが悪いことから、凹凸で躓いた場合に簡単に転倒してしまい、大怪我をする恐れがある。
【０００５】
水を運搬する技術に関しては、特許文献１及び２に、ポリタンク運搬用の台車が開示されている。当該ポリタンク運搬用の台車は、一対の運搬用車輪を備えており、運搬時には、上端部に把持部が設けられたフレームが後方（または前方）に傾けられて、一対の運搬用車輪だけが地面に接触してポリタンクの荷重が支えられた状態で、把持部が前方に押される（または引かれる）ことにより、ポリタンクの運搬が行われる。
【先行技術文献】
【特許文献】
【０００６】
【特許文献１】特許第３４８５１２９号公報
【特許文献２】実用新案登録第３１１９５２５号公報
【考案の概要】
【考案が解決しようとする課題】
【０００７】
しかしながら、本件考案者によれば、特許文献１及び２に記載されたポリタンク運搬用の台車を墓参に用いる場合、以下の問題が知見された。すなわち、台車に墓参用桶の配置スペースが設けられていないため、参拝者は墓参用桶を手で持って運ぶ必要があり、甚だ不便である。また、一対の運搬用車輪だけが地面に接触した状態で運搬が行われるため、安定性に欠けており、特に凹凸を多く含む参道では、バランスが崩れて転倒する危険がある。また、フレームを傾ける際には、下向きの比較的大きな力を把持部に加える必要があり、力の弱い高齢者には操作が困難である。更に、フレームが傾けられると、台車の前後方向の占有スペースが拡大してしまうため、道幅の狭い墓地の通路を移動するのに不便である。
【０００８】
本考案の目的は、墓参の際に墓参用桶と当該桶に入れるための水とを容易に運搬することができる墓参用桶専用台車を提供することである。
【課題を解決するための手段】
【０００９】
本考案は、上端側に把持部が設けられると共に、下端側に一対の後方車輪が設けられたメインフレームと、基端側が前記メインフレームに固定されると共に、先端側に前方車輪が設けられた一対の前方突出フレームと、前記メインフレーム及び前記一対の前方突出フレームによって上面が水平となるように保持された支持部と、前記支持部の上面の後方側部分に配置された貯水タンクと、を備え、前記支持部の上面の前方側部分には、墓参用桶の配置スペースが設けられていることを特徴とする墓参用桶専用台車である。
【００１０】
本考案によれば、参拝者は墓参用桶に入れる水を運搬する際に、墓参用桶を墓参用桶の配置スペースに配置しておくことができるので、墓参用桶を手で持って運ぶ必要はなく、非常に便利である。また、一対の前方車輪と一対の後方車輪とが地面に接触した状態で運搬が行われるため、安定性に優れており、特に凹凸を多く含む参道であっても、転倒する危険が顕著に少ない。更に、特許文献１及び２に記載された台車のようにフレームを傾ける必要はないため、力の弱い高齢者であっても操作が容易であり、かつ、道幅の狭い通路であっても移動し易い。これにより、墓参の際に墓参用桶と当該桶に入れるための水とを、特に高齢者であっても容易に運搬することが可能である。
【００１１】
好ましくは、前記前方車輪及び前記後方車輪は、直径が１５０ｍｍ以上である。本件考案者の実際の検証によれば、砂利道や石畳などの小さな凹凸を含む参道であっても、このような態様であれば、車輪が当該小さな凹凸をなぞって上下動することが抑制される（凸の部分の上を渡っていける）ため、運搬の容易性及び安全性が顕著に向上する。
【００１２】
また、好ましくは、前記後方車輪の車軸の向きは、前記メインフレームに対して固定されており、前記前方車輪の車軸の向きは、前記前方突出フレームに対して回転可能となっている。このような態様によれば、運搬時の台車の方向転換が容易である。
【００１３】
また、好ましくは、前記貯水タンクの後方側面と対向するように前記メインフレームに固定された貯水タンク押さえフレームと、前記貯水タンクの前方側面に掛け渡され、前記貯水タンクを前記貯水タンク押さえフレームに押しつけて固定する貯水タンク用ベルトと、前記墓参用桶の配置スペースを取り囲むように掛け渡され、墓参用桶を前記貯水タンクの前方側面に押しつけて固定可能になっている墓参用桶用ベルトと、を更に備える。このような態様によれば、運搬時の振動に対する安定性が向上する。
【００１４】
また、好ましくは、前記貯水タンクの後方側面には、排水口が設けられている。このような態様によれば、貯水タンク内の水を墓参用桶に移すことが容易である。
【考案の効果】
【００１５】
本考案によれば、参拝者は墓参用桶に入れる水を運搬する際に、墓参用桶を墓参用桶の配置スペースに配置しておくことができるので、墓参用桶を手で持って運ぶ必要はなく、非常に便利である。また、一対の前方車輪と一対の後方車輪とが地面に接触した状態で運搬が行われるため、安定性に優れており、特に凹凸を多く含む参道であっても、転倒する危険が顕著に少ない。更に、特許文献１及び２に記載された台車のようにフレームを傾ける必要はないため、力の弱い高齢者であっても操作が容易であり、かつ、道幅の狭い通路であっても移動し易い。これにより、墓参の際に墓参用桶と当該桶に入れるための水とを、特に高齢者であっても容易に運搬することが可能である。
【図面の簡単な説明】
【００１６】
【図１】本考案の一実施の形態の墓参用桶専用台車の概略側面図である。
【図２】本考案の一実施の形態の墓参用桶専用台車の概略背面図である。
【考案を実施するための形態】
【００１７】
以下に、添付の図面を参照して、本考案の実施の形態を詳細に説明する。
【００１８】
図１は、本考案の一実施の形態の墓参用桶専用台車の概略側面図、図２は、当該墓参用桶専用台車の概略背面図である。
【００１９】
図１及び図２に示すように、本実施の形態の墓参用桶専用台車１０は、上端側に把持部１３が設けられると共に、下端側に一対の後方車輪１４が設けられたメインフレーム１１と、基端側がメインフレーム１１に固定されると共に、先端側に前方車輪１５が設けられた一対の前方突出フレーム１２と、メインフレーム１１及び一対の前方突出フレーム１２によって上面が水平となるように保持された支持部１６と、支持部１６の上面の後方側部分に配置された貯水タンク１７と、を備えている。
【００２０】
図２に示すように、本実施の形態のメインフレーム１１は、「コ」字形状のアルミニウム製パイプからなり、先端が下方に向けられた一対の縦フレーム部１１ａと、一対の縦フレーム部１１ａの基端（上端）に掛け渡された横フレーム部１１ｂと、を有している。把持部１３は、横フレーム部１１ｂに設けられている。
【００２１】
各縦フレーム部１１ａの先端の内側側面と外側側面には、下方に延びる細長の内側車輪支持部材２１と外側車輪支持部材２２とがそれぞれ固定されている。
【００２２】
一対の後方車輪１４は、それぞれの車軸が互いに同軸状になるように位置合わせされた状態で、一対の縦フレーム部１１ａの内側車輪支持部材２１と外側車輪支持部材２２との間に挟まれるように配置されており、各後方車輪１４の車軸の一端と他端は、それぞれ内側車輪支持部材２１と外側車輪支持部材２２に回転可能に支持されている。すなわち、後方車輪１４の車軸の向きは、メインフレーム１１に対して固定されている。これにより、把持部１３からメインフレーム１１を介して後方車輪１４に左右方向の荷重が加えられても、後方車輪１４の車軸の向きが当該荷重に従って揺動することはなく、墓参用桶専用台車１０の走行が安定するようになっている。
【００２３】
図１に示すように、本実施の形態の前方突出フレーム１２は、アルミニウム製パイプからなる。前方突出フレーム１２の基端側は、メインフレーム１１の縦フレーム部１１ａに固定されており、先端側は、その中心軸線が鉛直になるように下方に向けて曲げられている。
【００２４】
前方突出フレーム１２の先端の下方には、凹部を有する軸受部材２３が配置されており、前方突出フレーム１２の当該先端が軸受部材２３の当該凹部に回動可能に挿入されている。これにより、軸受部材２３は、前方突出フレーム１２の先端の鉛直な中心軸線を中心に回動可能になっている。そして、前方車輪１５の車軸が、水平方向に向けられた状態で、軸受部材２３に回転可能に支持されている。これにより、前方車輪１５の車軸の向きは、前方突出フレーム１２に対して水平面内で回動可能となっている。これにより、把持部１３から前方突出フレーム１２を介して前方車輪１５に左右方向の荷重が加えられると、前方車輪１５の車軸の向きは当該荷重に従って回動され、当該墓参用桶専用台車１０の進行方向が容易に転換されるようになっている。
【００２５】
本実施の形態の支持部１６は平板形状であり、上面が水平となるように向けられた状態で、一対の縦フレーム部１１ａの間と一対の前方突出フレーム１２の間に亘って延びるように配置されている。具体的には、支持部１６の側面後方部分が一対の縦フレーム部１１ａに固定され、側面前方部分が一対の前方突出フレーム１２に固定されている。
【００２６】
本実施の形態の貯水タンク１７は、前後方向の長さが支持部１１ａの上面の前後方向の長さより短くなっており、支持部１６の上面の後方側部分に配置されている。そして、支持部１６の上面の前方側部分には、墓参用桶の配置スペース１８が設けられている。
【００２７】
本実施の形態の貯水タンク１７は、給水口２７と排水口２５とを有している。
【００２８】
貯水タンク１７の給水口２７は、貯水タンク１７の後方側面に設けられており、給水口２７には蓋部材２８が取り付けられている。給水口２７から蓋部材２８が取り外されると、貯水タンク１７内に水を供給することが可能であり、給水口２７に蓋部材２８が取り付けられると、貯水タンク１７内の水が給水口２７から漏れ出すことが防止されるようになっている。
【００２９】
一方、貯水タンク１７の排水口２５は、貯水タンク１７の後方側面のうち給水口２７の下方に設けられており、排水口２５には、開閉可能なコック（不図示）が取り付けられている。コックが開状態にされると、貯水タンク１７内の水が排水口２５から排出され、コックが閉状態にされると、排水口２５からの水の排出が停止されるようになっている。
【００３０】
本実施の形態の墓参用桶専用台車１０は、貯水タンク１７の後方側面と対向するようにメインフレーム１１に固定された貯水タンク押さえフレーム３１と、貯水タンク１７の前方側面に掛け渡され、貯水タンク１７を貯水タンク押さえフレーム３１に押しつけて固定する貯水タンク用ベルト３２と、墓参用桶の配置スペース１８を取り囲むように掛け渡され、墓参用桶４０を貯水タンク１７の前方側面に押しつけて固定可能になっている墓参用桶用ベルト３２と、を更に備えている。
【００３１】
貯水タンク押さえフレーム３１は細長形状であり、貯水タンク１７の後方側面と対向するように配置され、図１及び図２に示すように、それぞれ一対の縦フレーム部１１ａに固定され、更に一対の前方突出フレーム１２にも固定されている。
【００３２】
貯水タンク用ベルト３２は、具体的には、第一貯水タンク用ベルトと第二貯水タンク用ベルトとを有している。第一貯水タンク用ベルトの基端部は一方の前方突出フレーム１２に固定されており、先端部にはスリット状金具が設けられている。一方、第二貯水タンク用ベルトの基端部は他方の前方突出フレーム１２に固定されており、先端部には面ファスナーが設けられている。
【００３３】
第二貯水タンク用ベルトの先端部が第一貯水タンク用ベルトの先端部のスリット状金具に挿通されて、第二貯水タンク用ベルト本体が当該スリット状金具で折り返された後、第二貯水タンク用ベルトの先端部が引っ張られると、当該スリット状金具は、第二貯水タンク用ベルト本体の長手方向に沿って第二貯水タンク用ベルトの基端部に近づく方向に移動され、貯水タンク用ベルト３２が実質的に引き締められる。これにより、貯水タンク１７は貯水タンク押さえフレーム３１に対して押しつけられる。そして、第二貯水タンク用ベルトの先端部が引っ張られたままで、当該先端部の面ファスナーが第二貯水タンク用ベルト本体に固定されると、貯水タンク１７は貯水タンク用ベルト３２と貯水タンク押さえフレーム３１との間に挟まれた状態で固定されるようになっている。一方、第二貯水タンク用ベルトの先端部の面ファスナーが第二貯水タンク用ベルト本体から外されると、貯水タンク用ベルト３２が実質的に緩められ、貯水タンク１７の固定状態が解除され、貯水タンク１７を支持部１６の上面から取り外すことができるようになっている。
【００３４】
同様に、墓参用桶用ベルト３３は、具体的には、第一墓参用桶用ベルトと第二墓参用桶用ベルトとを有している。第一墓参用桶用ベルトの基端部は一方の前方突出フレーム１２に固定されており、先端部にはスリット状金具が設けられている。一方、第二墓参用桶用ベルトの基端部は他方の前方突出フレーム１２に固定されており、先端部には面ファスナーが設けられている。
【００３５】
第二墓参用桶用ベルトの先端部が第一墓参用桶用ベルトの先端部のスリット状金具に挿通されて、第二墓参用桶用ベルト本体が当該スリット状金具で折り返された後、第二墓参用桶用ベルトの先端部が引っ張られると、当該スリット状金具は、第二墓参用桶用ベルト本体の長手方向に沿って第二墓参用桶用ベルトの基端部に近づく方向に移動され、墓参用桶用ベルト３３が実質的に引き締められる。これにより、墓参用桶の配置スペース１８に配置された墓参用桶４０は貯水タンク１７の前方側面に対して押しつけられる。そして、第二墓参用桶用ベルトの先端部が引っ張られたままで、当該先端部の面ファスナーが第二墓参用桶用ベルト本体に固定されると、墓参用桶４０は墓参用桶用ベルト３３と貯水タンク１７との間に挟まれて固定されるようになっている。一方、第二墓参用桶用ベルトの先端部の面ファスナーが第二墓参用桶用ベルト本体から外されると、墓参用桶用ベルト３３が実質的に緩められ、墓参用桶４０の固定状態が解除され、墓参用桶４０を支持部１６の上面から取り外すことができるようになっている。
【００３６】
本実施の形態の墓参用桶専用台車１０は、後方車輪１４の回転を減速させるための、それ自体は公知のハンドル式ブレーキ３５を有している。
【００３７】
以上のような本実施の形態の作用について説明する。
【００３８】
まず、図１に示すように、貯水タンク用ベルト３２が緩められて、支持部１６の上面から貯水タンク１７が取り外される。貯水タンク１７の蓋部材２８が取り外され、給水口２７から貯水タンク１７の内部に水が供給される。所望量の水が供給された後、蓋部材２８が取り付けられて、給水口２７が蓋される。
【００３９】
次いで、水が充填された貯水タンク１７が、支持部１６の上面の後方側部分に配置される。貯水タンク用ベルト３２が貯水タンク１７の前方側面に掛け渡された状態で引き締められ、貯水タンク用ベルト３２と貯水タンク押さえフレーム３１との間で貯水タンク１７が動かないように固定される。
【００４０】
なお、貯水タンク１７が貯水タンク用ベルト３２と貯水タンク押さえフレーム３１との間で動かないように固定されたままで、蓋部材２８が取り外され、ホース（管）等が使用されて給水口２７から貯水タンク１７の内部に水が供給されてもよい。
【００４１】
その後、墓参用桶の配置スペース１８に墓参用桶４０が配置され、墓参用桶用ベルト３３が引き締められて、墓参用桶用ベルト３３と貯水タンク１７の前方側面との間で墓参用桶４０が動かないように固定される。
【００４２】
前方車輪１５及び後方車輪１４が地面に接触した状態で、把持部１３に前方向の外力が加えられると、メインフレーム１１及び前方突出フレーム１２を介して後方車輪１４及び前方車輪１５の車軸に当該外力が伝達され、後方車輪１４及び前方車輪１５は当該外力に従って回転する。これにより、墓参用桶専用台車１０は、貯水タンク１７内の水と墓参用桶４０と一緒に、前方向に移動する。
【００４３】
本実施の形態では、墓参用桶と貯水タンク１７とがそれぞれ墓参用桶用ベルト３２と貯水タンク用ベルト３１とにより固定されており、仮に墓参用桶専用台車１０の移動時に振動が発生しても、墓参用桶４０と貯水タンク１７とが位置ズレして支持部１６の上面から落下するおそれはなく、安定性が向上している。
【００４４】
墓参用桶専用台車１０が所望の位置に到達したら、ハンドル式ブレーキ３５が操作されて、後方車輪１４の回転が減速され、墓参用桶専用台車１０の移動が停止される。そして、墓参用桶用ベルト３３が緩められて、墓参用桶の配置スペース１８から墓参用桶４０が取り外される。
【００４５】
例えば、取り外された墓参用桶４０は、図２に示すように、貯水タンク１７の排水口２５の鉛直下方に配置され、貯水タンク１７のコックが開状態にされる。これにより、貯水タンク１７内の水は排水口２５から排出されて、墓参用桶４０の内部に落下する。墓参用桶４０に所望量の水が溜められた後、貯水タンク１７のコックが閉状態にされて、排水口２５からの水の排出が停止される。
【００４６】
以上のような本実施の形態によれば、参拝者は墓参用桶４０に入れる水を運搬する際に、墓参用桶４０を墓参用桶の配置スペース１８に配置しておくことができるので、墓参用桶４０を手で持って運ぶ必要はなく、非常に便利である。また、一対の前方車輪１５と一対の後方車輪１４とが地面に接触した状態で運搬が行われるため、安定性に優れており、特に凹凸を多く含む参道であっても、転倒する危険が顕著に少ない。更に、特許文献１及び２に記載された台車のようにフレームを傾ける必要はないため、力の弱い高齢者であっても操作が容易であり、かつ、道幅の狭い通路であっても移動し易い。これにより、墓参の際に墓参用桶４０と当該墓参用桶４０に入れるための水とを、特に高齢者であっても容易に運搬することが可能である。
【００４７】
なお、好ましくは、前方車輪１５及び後方車輪１４は、いずれも直径が１５０ｍｍ以上（例えば、１８２ｍｍ）である。本件考案者の実際の検証によれば、砂利道や石畳などの小さな凹凸を含む参道であっても、このような態様であれば、前方車輪１５及び後方車輪１４が当該小さな凹凸をなぞって上下動することが抑制される（凸の部分の上を渡っていける）ため、運搬の容易性及び安全性が顕著に向上する。
【符号の説明】
【００４８】
１０  墓参用桶専用台車
１１  メインフレーム
１２  前方突出フレーム
１３  把持部
１４  後方車輪
１５  前方車輪
１６  支持部
１７  貯水タンク
１８  墓参用桶の配置スペース
２１  内側車輪支持部材
２２  外側車輪支持部材
２５  排水口
２７  給水口
２８  蓋部材
３１  貯水タンク押さえフレーム
３２  貯水タンク用ベルト
３３  墓参用桶用ベルト
３５  ハンドル式ブレーキ
４０  墓参用桶
【図１】
0003178876.tif 000003
【図２】
0003178876.tif 000004